(57)【特許請求の範囲】
【請求項１】
軸を持つ１本のシリンダーが設けられるシリンダー部及び２つのラチェット機構が設けられる駆動部を収納するハウジングと、前記シリンダー内でその軸に沿って互いに独立に往復動する２つのピストンと、各ピストンに連動するピストンロッドと、それぞれのピストンロッドを前記したラチェット機構のそれぞれに連結するロッドエンドと、２つのラチェット機構の両方に連結された駆動素子と、前記シリンダーに作動流体を供給する手段とを備え、前記した２つのピストンのうち、一方のピストンとそのピストンロッドは、共に中空であり、他方のピストンは、前記一方のピストンの中空ピストンロッド内に伸びるピストンロッドと、逆方向に伸びる第２のピストンロッドを有し、前記２つのピストンが同じピストン面積を保持するように、前記他方のピストンのピストンロッドと、これと逆方向に伸びる第２のピストンロッドの直径が同じである流体駆動トルクレンチあって、
（イ）前記の流体供給手段によって前記シリンダー内に供給された流体が、シリンダーの軸方向に関して前記一方のピストンの一方の側に作用すると共に、前記他方のピストンの他方の側に作用した際には、前記一方のピストンは軸方向の一方に動いて当該ピストンが接続しているラチェット機構にて駆動素子の逆回転を阻止しつつ、前記他方のピストンは軸方向の他方に動いて当該ピストンが接続しているラチェット機構にて駆動素子を回転させ、
（ロ）シリンダー内に供給された流体が、前記一方のピストンの他方の側に作用すると共に、前記他方のピストンの一方の側に作用した際には、前記一方のピストンは軸方向の他方に動いて当該ピストンが接続しているラチェット機構にて駆動素子を回転させつつ、前記他方のピストンは軸方向の一方に動いて当該ピストンが接続しているラチェット機構にて駆動素子の逆回転を阻止する、
ことを特徴とする前記の流体駆動トルクレンチ。
【発明の詳細な説明】
【０００１】
【発明の属する技術分野】
本発明は流体作動トルクレンチに関する。
【０００２】
【従来の技術】
流体作動トルクレンチは公知であって、広く利用されている。ボルト、ナットなどのネジ付き留め具に接続する駆動部材が連続回転し、留め具を連続回転させて緊締できる流体作動トルクレンチは、特に有用である。そして、上記したタイプの現存する流体作動トルクレンチは、さらに改良の余地を残している。
【０００３】
【発明が解決しようとする課題】
本発明の目的は、上記したタイプの現存流体作動トルクレンチを改良して駆動部材が連続回転する流体作動トルクレンチを提供することにある。
【０００４】
【課題を解決するための手段】
本発明に係る流体作動トルクレンチは、軸を持つシリンダーが収納されたシリンダー部並びに駆動部を有するハウジングと、前記シリンダー内にその軸と同軸に収容され、軸方向に互いに独立して往復動できるロッド付きの第１及び第２ピストンと、前記駆動部内に配置され、各ピストンのロッドとそれぞれ連動する駆動板を持った第１及び第２ラチェット機構と、これら２つのラチェット機構の両方が接続された１つの駆動素子と、前記シリンダーに作動流体を供給するための流体供給手段とを備え、前記の第１及び第２ピストンが次のように配列されている。
【０００５】
すなわち、両ピストンを収容しているシリンダーの軸方向で考えて、（イ）前記流体供給手段から供給された作動流体が、第１ピストンの一方の側（例えば左側）と、第２ピストンの他方の側（例えば右側）にそれぞれ供給された際には、第１ピストンは他方の側の方向に（例えば右方向に）移動して第１ラチェット機構にて前記駆動素子の逆回転を阻止し、第２ピストンは一方の側の方向に（例えば左方向に）移動して前記駆動素子が回転するように第２ラチェット機構を回転させ、（ロ）前記作動流体が第１ピストンの他方の側（例えば右側）と、第２ピストンの一方の側（例えば左側）にそれぞれ供給された際には、第１ピストンは一方の側の方向に（例えば左方向に）移動して前記駆動素子が回転するよう第１ラチェット機構を回転させ、第２ピストンは他方の側の方向に（例えば右方向に）移動して第２ラチェット機構にて前記駆動素子の逆回転を阻止できるように、前記の第１及び第２ピストンが配列されている。
【０００６】
【発明の実施の形態】
以下、添付図面に沿って、本発明のトルクレンチをさらに詳しく説明すると、本発明に係る流体作動トルクレンチは、全体を符号１で示すハウジングを有し、そのハウジングは、シリンダー部を形成する第１ハウジング部２と、駆動部を形成する第２ハウジング部とを有している。シリンダー４が収納されるシリンダー部２の軸はＡで示される。シリンダー４内には、２つのピストンが収容され、これらは互いに独立して軸Ａの方向に往復動可能である。符号５で示されるピストンの一方（第１ピストン）は、中空のピストンロッド６と、これに接続されたロッドエンド７を備えている。他方のピストン（第２ピストン）８は、中実のピストンロッド９を備え、そのロッドは中空の第１ピストン５内に延び、第２のロッドエンド１０と接続されている。
【０００７】
本発明の流体作動トルクレンチは、それ自体公知のラチェット機構を２つ備え、各ラチェット機構は、それぞれ複数枚の駆動板と、駆動板間に位置するラチェットと、駆動板上に配置されてラチェットと係合する爪を備えている。図１は一方のラチェット機構（第１ラチェット機構）１１を示し、これには、駆動板１２（１つだけ示す）と、駆動板の間に回転可能に配置されたラチェット１３と、駆動板の１つの回転可能に配置され、ラチェット１３と係合する爪１４が組み込まれている。この第１ラチェット機構１１は、第２ピストン８のロッド９のロッドエンド１０に接続される。他方のラチェット機構（第２ラチェット機構）１５は、第１ピストン５のロッド６のロッドエンド７に接続される。
【０００８】
本発明の流体作動トルクレンチは、さらに作動流体供給源（図示略）からもたらされる作動流体を、レンチ内に送り込む作動流体供給システムを備えている。この供給システムは、図２に示すように、第１供給システム１６と、第２供給システム１７からなる。第１供給システム１６は、シリンダーの軸方向に関して、第１ピストン５の一方の側（例えば左側）と、第２ピストン８の他方の側（例えば右側）にそれぞれ作動流体を配給できる流体通路を備えている。同様に、第２供給システム１７は、第１ピストン５の他方の側（例えば右側）と、第２ピストン８の一方の側（例えば左側）に、それぞれ作動流体を配給できる流体通路を備えている。
【０００９】
本発明の流体作動レンチはさらに、符号１８で示す駆動素子を備え、この駆動素子１８は２つのラチェット機構１１及び１５に共有されて第１及び第２ラチェット機構のそれぞれのラチェットに接続されている。従って、第１及び第２ラチェット機構の何れかのラチェットが回転すると、駆動素子１８も回転する。
【００１０】
本発明に係る流体作動トルクレンチは、次のように作動する。
作動流体が第１供給システム１６に供給され、その流体がピストン５の一方の側（例えば、図２におけるピストン５の左側）並びにピストン８には他方の側（図２におけるピストン８の右側）に力を及ぼすと、ピストン５はシリンダー軸方向の一方（図２の右側）に動いてラチェット機構１５にて駆動素子の逆回転を阻止するが、ピストン８はシリンダー軸方向の他方（図２の左側）に動いてラチェット機構１１にて駆動素子を回転させる。
そして、第２供給システム１７から供給される作動流体が、ピストン５の他方の側（図２におけるピストン５の右側）と、ピストン８の一方の側（図２におけるピストンの左側）との間のスペースに流入すると、ピストン５はシリンダー軸方向の他方（図２の左側）に動いてラチェット機構１５にて駆動素子を回転させ、ピストン８はシリンダー軸方向の一方（図２の右側）に動いてラチェット機構１１にて駆動素子の逆回転を阻止する。
従って、本発明の流体作動トルクレンチでは、シリンダーへの作動流体の給排出を、第１供給システム及び第２供給システムにて交互に繰り返すことにより、駆動素子を連続的に一方向に回転させることができる。
【００１１】
添付図面から明らかなように、ピストン８は、中空のピストン５及び中空のピストンロッド６内に伸びるピストンロッド９と、これとは逆方向の右側に伸びる第２のピストンロッドを備え、これら２つのピストンロッドは直径が同じであるので、これによりピストン５とピストン８には、ピストンの右側において同じピストン面積が与えられる。
【００１２】
以上、本発明に係る流体駆動トルクレンチを、添付図面に沿って説明したが、添付図面は本発明を限定するものでない。そして、当業者は、上に説明したところから、本発明の必須構成要件のいずれをも欠くことなく、本発明のトルクレンチを設計変更することが容易である。
【図面の簡単な説明】
【図１】本発明に係る流体作動トルクレンチの正面図である。
【図２】本発明に係る流体作動トルクレンチの上面断面図である。
【符号の説明】
１：ハウジング                  ２：第１ハウジング部
３：第２ハウジング部            ４：シリンダー
５：第１ピストン                ６：中空ピストンロッド
７：ロッドエンド                ８：第２ピストン
９：中実ピストンロッド        １０：ロッドエンド
１１：第１ラチェット機構        １２：駆動板
１３：ラチェット                １４：爪
１５：第２ラチェット機構        １６：第１供給システム
１７：第２供給システム
【図１】
0003973213.tif 000002
【図２】
0003973213.tif 000003